(57)【要約】【課題】本発明は二重の便座蓋上げ器を開示した。【解決手段】本発明は二重の便座蓋上げ器を開示し、主体を含み、前記装置主体の中には主チャンバが設置され、前記主チャンバの中の上側には回転装置が設置され、前記回転装置の下端には切替装置が連結され、前記切替装置の下端には自動ロック装置が連結され、前記自動ロック装置の左端には支持装置が連結され、本発明は構造が簡単で、操作が便利で、ニーズによって便座蓋だけ又は便座までを上げられ、便座蓋を閉じる時、便座を損害しないように、便座蓋を直接に便座に接触させなく、本発明の装置は便座蓋又は便座を早く上げられるだけではなく、安全に便座蓋を閉じられる。【選択図】図１
2020179121.tif 000002
【特許請求の範囲】
【請求項１】
正面視で、主体を含み、前記装置主体の中には主チャンバが設置され、前記主チャンバの中の上側には回転装置が設置され、前記回転装置の下端には切替装置が連結され、前記切替装置の下端には自動ロック装置が連結され、前記自動ロック装置の左端には支持装置が連結され、前記切替装置は前記主チャンバの右側の内壁の中に連通して設置され且つ右に開口した連結軸チャンバを含み、前記連結軸チャンバの中には連結軸が回転またスライドできるように設置され、前記連結軸の右端には手動輪が固定的に連結され、前記連結軸の左端が前記主チャンバの中に伸びていてスライド歯車と回転できるように連結され、前記スライド歯車の中には噛合チャンバが左に開口して設置され、前記連結軸チャンバの上下両側の内壁の中には扇形輪チャンバが連通して設置され、前記扇形輪チャンバの中には転輪が回転できるように設置され、前記転輪が前記連結軸に固定的に連結され、前記転輪の円周面には扇形輪が固定的に連結され、前記扇形輪チャンバの下側の内壁の中には揺動ボードチャンバが連通して設置され、前記揺動ボードチャンバの中には揺動ボードが揺動できるように設置され、前記揺動ボードの上端と前記扇形輪とが当接し、前記揺動ボードの下側の左右両端と前記揺動ボードチャンバの左右両側の内壁との間には復帰ねじりばねが固定的に連結され、前記揺動ボードの下端が前記揺動ボードチャンバの中に伸びて長い回転軸と固定的に連結され、前記長い回転軸の左端が前記自動ロック装置と前記支持装置とに連結され、
前記手動輪を推して回転させ、便座を上げられることを特徴とする二重の便座蓋上げ器。
【請求項２】
前記回転装置は前記主チャンバの中の上側に回転できるように設置されるモーター軸を含み、前記主チャンバの右側の内壁の中にはモーターが固定的に設置され、前記モーター軸の右端が前記モーターに伝動できるように連結し、前記モーター軸には左歯車と右歯車が固定的に連結され、前記右歯車の下端が前記スライド歯車に噛合でき、前記左歯車の下端には連結歯車が噛合連結され、前記連結歯車の左端には外回転軸が固定的に連結され、前記外回転軸の中には内回転軸チャンバが左右に貫通して設置され、前記内回転軸チャンバが前記連結歯車を貫通しており、前記内回転軸チャンバの中には内回転軸が回転できるように設置され、前記内回転軸の右端が前記噛合チャンバと連結られることができ、前記外回転軸と前記内回転軸の左端とが便座蓋に連結され、
前記内回転軸チャンバと前記外回転軸を駆動することにより、其々便座と便座蓋を上げられることを特徴とする請求項１に記載の二重の便座蓋上げ器。
【請求項３】
前記自動ロック装置は前記主チャンバの下側の内壁の中に連通して設置される自動ロックチャンバを含み、前記長い回転軸には自動ロックボードが固定的に連結され、前記自動ロックボードの下端が前記自動ロックチャンバの中に伸びられ、前記自動ロックチャンバの中の前側にはロックボード軸が回転できるように連結され、前記ロックボード軸にはロックボードが固定的に連結され、前記ロックボードの後端が前記自動ロックボードに当接し、前記ロックボードの下端と前記自動ロックチャンバの下側の内壁との間にはロック撥条が固定的に連結され、前記ロックボード軸には引き線が巻かれて連結され、前記自動ロックチャンバの前側内壁の中には引き線チャンバが連通して前に開口して設置され、前記引き線の前端が前記引き線チャンバを貫通して引っ張りブロックと固定的に連結され、
前記ロックボードによって前記自動ロックボードを止め、便座が閉じる時便座と直接に衝突して損害するのを防止することを特徴とする請求項１に記載の二重の便座蓋上げ器。
【請求項４】
前記支持装置は前記主チャンバの左側の内壁の中に設置され且つ左に開口した長い回転軸チャンバを含み、前記長い回転軸の左端が前記長い回転軸チャンバを通して支持ボードと固定的に連結され、前記支持ボードの後端には支持ブロックが左右に対称的に固定的に連結され、前記支持ブロックの中には連結溝が相対に且つ後に開口して設置され、前記支持ブロックと便座の台座との連結によって、便座蓋を上げるのに補助できることを特徴とする請求項２に記載の二重の便座蓋上げ器。
【発明の詳細な説明】
【技術分野】
【０００１】
本発明は生活用品の分野を取り上げて、具体的には二重の便座蓋上げ器である。
【背景技術】
【０００２】
男女が便座を使用する時には区別があり、たまには便座まで上げるニーズがあり、便座が便座蓋より小さいため、同時に二重を上げられなく、そのためニーズによって便座蓋だけ又は同時に便座まで上げられる便座蓋上げ器を設計する必要があり、本発明装置は便座蓋だけ又は便座まで早く上げられるだけではなく、安全に便座蓋を閉じられる。
【先行技術文献】
【特許文献】
【０００３】
【特許文献１】中国特許出願公開第１０５７４７９８０号明細書
【発明の概要】
【発明が解決しようとする課題】
【０００４】
本発明の解決する技術問題は二重の便座蓋上げ器を提供し、それが上記現有技術問題を解決できる。
【課題を解決するための手段】
【０００５】
本発明の二重の便座蓋上げ器は、主体を含み、前記装置主体の中には主チャンバが設置され、前記主チャンバの中の上側には回転装置が設置され、前記回転装置の下端には切替装置が連結され、前記切替装置の下端には自動ロック装置が連結され、前記自動ロック装置の左端には支持装置が連結され、前記切替装置は前記主チャンバの右側の内壁の中に連通して設置され且つ右に開口した連結軸チャンバを含み、前記連結軸チャンバの中には連結軸が回転またスライドできるように設置され、前記連結軸の右端には手動輪が固定的に連結され、前記連結軸の左端が前記主チャンバの中に伸びていてスライド歯車と回転できるように連結され、前記スライド歯車の中には噛合チャンバが左に開口して設置され、前記連結軸チャンバの上下両側の内壁の中には扇形輪チャンバが連通して設置され、前記扇形輪チャンバの中には転輪が回転できるように設置され、前記転輪が前記連結軸に固定的に連結され、前記転輪の円周面には扇形輪が固定的に連結され、前記扇形輪チャンバの下側の内壁の中には揺動ボードチャンバが連通して設置され、前記揺動ボードチャンバの中には揺動ボードが揺動できるように設置され、前記揺動ボードの上端と前記扇形輪とが当接し、前記揺動ボードの下側の左右両端と前記揺動ボードチャンバの左右両側の内壁との間には復帰ねじりばねが固定的に連結され、前記揺動ボードの下端が前記揺動ボードチャンバの中に伸びて長い回転軸と固定的に連結され、前記長い回転軸の左端が前記自動ロック装置と前記支持装置とに連結され、
前記手動輪を推して回転させ、便座を上げられる。
【０００６】
更なる技術方案、記回転装置は前記主チャンバの中の上側に回転できるように設置されるモーター軸を含み、前記主チャンバの右側の内壁の中にはモーターが固定的に設置され、前記モーター軸の右端が前記モーターに伝動できるように連結し、前記モーター軸には左歯車と右歯車が固定的に連結され、前記右歯車の下端が前記スライド歯車に噛合でき、前記左歯車の下端には連結歯車が噛合連結され、前記連結歯車の左端には外回転軸が固定的に連結され、前記外回転軸の中には内回転軸チャンバが左右に貫通して設置され、前記内回転軸チャンバが前記連結歯車を貫通しており、前記内回転軸チャンバの中には内回転軸が回転できるように設置され、前記内回転軸の右端が前記噛合チャンバと連結られることができ、前記外回転軸と前記内回転軸の左端とが便座蓋に連結され、
前記内回転軸チャンバと前記外回転軸を駆動することにより、其々便座と便座蓋を上げられる。
【０００７】
更なる技術方案、前記自動ロック装置は前記主チャンバの下側の内壁の中に連通して設置される自動ロックチャンバを含み、前記長い回転軸には自動ロックボードが固定的に連結され、前記自動ロックボードの下端が前記自動ロックチャンバの中に伸びられ、前記自動ロックチャンバの中の前側にはロックボード軸が回転できるように連結され、前記ロックボード軸にはロックボードが固定的に連結され、前記ロックボードの後端が前記自動ロックボードに当接し、前記ロックボードの下端と前記自動ロックチャンバの下側の内壁との間にはロック撥条が固定的に連結され、前記ロックボード軸には引き線が巻かれて連結され、前記自動ロックチャンバの前側内壁の中には引き線チャンバが連通して前に開口して設置され、前記引き線の前端が前記引き線チャンバを貫通して引っ張りブロックと固定的に連結され、
前記ロックボードによって前記自動ロックボードを止め、便座が閉じる時便座と直接に衝突して損害するのを防止する。
【０００８】
更なる技術方案、前記支持装置は前記主チャンバの左側の内壁の中に設置され且つ左に開口した長い回転軸チャンバを含み、前記長い回転軸の左端が前記長い回転軸チャンバを通して支持ボードと固定的に連結され、前記支持ボードの後端には支持ブロックが左右に対称的に固定的に連結され、前記支持ブロックの中には連結溝が相対に且つ後に開口して設置され、前記支持ブロックと便座の台座との連結によって、便座蓋を上げるのに補助できる。
【発明の効果】
【０００９】
本発明の有益な効果は下記の通りである：本発明は構造が簡単で、操作が便利で、ニーズによって便座蓋だけ又は便座までを上げられ、便座蓋を閉じる時、便座を損害しないように、便座蓋を直接に便座に接触させなく、本発明の装置は便座蓋又は便座を早く上げられるだけではなく、安全に便座蓋を閉じられる。
【図面の簡単な説明】
【００１０】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の二重の便座蓋上げ器の内部構成模式図
【図２】図２は図１の「ＡーＡ」の方向の構成模式図
【図３】図３は図１の「ＢーＢ」の方向の構成模式図
【図４】図４は図１の「ＣーＣ」の方向の構成模式図
【発明を実施するための形態】
【００１２】
図１〜４を参考して、本発明の二重の便座蓋上げ器は、主体１１を含み、前記装置主体１１の中には主チャンバ１４が設置され、前記主チャンバ１４の中の上側には回転装置１０１が設置され、前記回転装置１０１の下端には切替装置１００が連結され、前記切替装置１００の下端には自動ロック装置１０２が連結され、前記自動ロック装置１０２の左端には支持装置１０３が連結され、前記切替装置１００は前記主チャンバ１４の右側の内壁の中に連通して設置され且つ右に開口した連結軸チャンバ２１を含み、前記連結軸チャンバ２１の中には連結軸１９が回転またスライドできるように設置され、前記連結軸１９の右端には手動輪２０が固定的に連結され、前記連結軸１９の左端が前記主チャンバ１４の中に伸びていてスライド歯車１５と回転できるように連結され、前記スライド歯車１５の中には噛合チャンバ４２が左に開口して設置され、前記連結軸チャンバ２１の上下両側の内壁の中には扇形輪チャンバ１７が連通して設置され、前記扇形輪チャンバ１７の中には転輪２２が回転できるように設置され、前記転輪２２が前記連結軸１９に固定的に連結され、前記転輪２２の円周面には扇形輪１８が固定的に連結され、前記扇形輪チャンバ１７の下側の内壁の中には揺動ボードチャンバ４１が連通して設置され、前記揺動ボードチャンバ４１の中には揺動ボード２４が揺動できるように設置され、前記揺動ボード２４の上端と前記扇形輪１８とが当接し、前記揺動ボード２４の下側の左右両端と前記揺動ボードチャンバ４１の左右両側の内壁との間には復帰ねじりばね３９が固定的に連結され、前記揺動ボード２４の下端が前記揺動ボードチャンバ４１の中に伸びて長い回転軸２６と固定的に連結され、前記長い回転軸２６の左端が前記自動ロック装置１０２と前記支持装置１０３とに連結され、
前記手動輪２０を推して回転させ、便座を上げられる。
【００１３】
有益なように、前記回転装置１０１は前記主チャンバ１４の中の上側に回転できるように設置されるモーター軸３８を含み、前記主チャンバ１４の右側の内壁の中にはモーター１６が固定的に設置され、前記モーター軸３８の右端が前記モーター１６に伝動できるように連結し、前記モーター軸３８には左歯車１２と右歯車１３が固定的に連結され、前記右歯車１３の下端が前記スライド歯車１５に噛合でき、前記左歯車１２の下端には連結歯車３７が噛合連結され、前記連結歯車３７の左端には外回転軸３６が固定的に連結され、前記外回転軸３６の中には内回転軸チャンバ３５が左右に貫通して設置され、前記内回転軸チャンバ３５が前記連結歯車３７を貫通しており、前記内回転軸チャンバ３５の中には内回転軸３４が回転できるように設置され、前記内回転軸３４の右端が前記噛合チャンバ４２と連結られることができ、前記外回転軸３６と前記内回転軸３４の左端とが便座蓋に連結され、
前記内回転軸チャンバ３５と前記外回転軸３６を駆動することにより、其々便座と便座蓋を上げられる。
【００１４】
有益なように、前記自動ロック装置１０２は前記主チャンバ１４の下側の内壁の中に連通して設置される自動ロックチャンバ３０を含み、前記長い回転軸２６には自動ロックボード２７が固定的に連結され、前記自動ロックボード２７の下端が前記自動ロックチャンバ３０の中に伸びられ、前記自動ロックチャンバ３０の中の前側にはロックボード軸４４が回転できるように連結され、前記ロックボード軸４４にはロックボード２８が固定的に連結され、前記ロックボード２８の後端が前記自動ロックボード２７に当接し、前記ロックボード２８の下端と前記自動ロックチャンバ３０の下側の内壁との間にはロック撥条２９が固定的に連結され、前記ロックボード軸４４には引き線４６が巻かれて連結され、前記自動ロックチャンバ３０の前側内壁の中には引き線チャンバ４５が連通して前に開口して設置され、前記引き線４６の前端が前記引き線チャンバ４５を貫通して引っ張りブロック４３と固定的に連結され、
前記ロックボード２８によって前記自動ロックボード２７を止め、便座が閉じる時便座と直接に衝突して損害するのを防止する。
【００１５】
有益なように、前記支持装置１０３は前記主チャンバ１４の左側の内壁の中に設置され且つ左に開口した長い回転軸チャンバ３１を含み、前記長い回転軸２６の左端が前記長い回転軸チャンバ３１を通して支持ボード３２と固定的に連結され、前記支持ボード３２の後端には支持ブロック３３が左右に対称的に固定的に連結され、前記支持ブロック３３の中には連結溝４７が相対に且つ後に開口して設置され、前記支持ブロック３３と便座の台座との連結によって、便座蓋を上げるのに補助できる。
【００１６】
使用する時、便座蓋だけを上げる時、モーター１６を始動し、それによりモーター軸３８によって左歯車１２を回転連動させ、それにより連結歯車３７を回転連動させ、それにより外回転軸３６を回転連動させて便座蓋を上げ、同時に便座まで上げる時、手動輪２０を推して回転させ、それにより連結軸１９によってスライド歯車１５をスライド連動させて内回転軸３４と連結し、同時にスライド歯車１５と右歯車１３とが噛合し、同時に連結軸１９によって転輪２２を回転連動させ、それにより扇形輪１８を回転連動させ、それにより揺動ボード２４を推して揺動させ、それにより長い回転軸２６を回転連動させ、それにより自動ロックボード２７を回転連動させ、それによりロックボード２８によって自動ロックボード２７を引っ掛けて止めて元に回転するのを防止し、同時に長い回転軸２６が支持ボード３２を回転連動させ、支持ブロック３３と便器の台座とが連通するため、この時便座蓋を少し上げられ、この時モーター１６を始動し、モーター軸３８によって右歯車１３を回転連動させ、それによりスライド歯車１５を回転連動させ、それにより内回転軸３４を回転連動させ、それにより便座まで上げられ、モーター１６を反方向に回転させると便座蓋を閉じられ、引っ張りブロック４３を引っ張り、それにより引き線４６によってロックボード軸４４を引き動かして回転させ、それにより揺動ボード２４が復帰ねじりばね３９の弾力の作用によって反方向に回転し、それにより自動ロックボード２７を反方向に回転連動させ、それにより完全に便座蓋を閉じる。
【００１７】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020179121.tif 000003
【図２】
2020179121.tif 000004
【図３】
2020179121.tif 000005
【図４】
2020179121.tif 000006
【手続補正書】
【提出日】令和1年7月26日(2019.7.26)
【手続補正１】
【補正対象書類名】特許請求の範囲
【補正対象項目名】全文
【補正方法】変更
【補正の内容】
【特許請求の範囲】
【請求項１】
正面視で、主体を含み、前記装置主体の中には主チャンバが設置され、前記主チャンバの中の上側には回転装置が設置され、前記回転装置の下端には切替装置が連結され、前記切替装置の下端には自動ロック装置が連結され、前記自動ロック装置の左端には支持装置が連結され、前記切替装置は前記主チャンバの右側の内壁の中に連通して設置され且つ右に開口した連結軸チャンバを含み、前記連結軸チャンバの中には連結軸が回転またスライドできるように設置され、前記連結軸の右端には手動輪が固定的に連結され、前記連結軸の左端が前記主チャンバの中に伸びていてスライド歯車と回転できるように連結され、前記スライド歯車の中には噛合チャンバが左に開口して設置され、前記連結軸チャンバの上下両側の内壁の中には扇形輪チャンバが連通して設置され、前記扇形輪チャンバの中には転輪が回転できるように設置され、前記転輪が前記連結軸に固定的に連結され、前記転輪の円周面には扇形輪が固定的に連結され、前記扇形輪チャンバの下側の内壁の中には揺動ボードチャンバが連通して設置され、前記揺動ボードチャンバの中には揺動ボードが揺動できるように設置され、前記揺動ボードの上端と前記扇形輪とが当接し、前記揺動ボードの下側の左右両端と前記揺動ボードチャンバの左右両側の内壁との間には復帰ねじりばねが固定的に連結され、前記揺動ボードの下端が前記揺動ボードチャンバの中に伸びて長い回転軸と固定的に連結され、前記長い回転軸の左端が前記自動ロック装置と前記支持装置とに連結され、
前記手動輪を押して回転させ、便座を上げられ、
前記回転装置は前記主チャンバの中の上側に回転できるように設置されるモーター軸を含み、前記主チャンバの右側の内壁の中にはモーターが固定的に設置され、前記モーター軸の右端が前記モーターに伝動できるように連結し、前記モーター軸には左歯車と右歯車が固定的に連結され、前記右歯車の下端が前記スライド歯車に噛合でき、前記左歯車の下端には連結歯車が噛合連結され、前記連結歯車の左端には外回転軸が固定的に連結され、前記外回転軸の中には内回転軸チャンバが左右に貫通して設置され、前記内回転軸チャンバが前記連結歯車を貫通しており、前記内回転軸チャンバの中には内回転軸が回転できるように設置され、前記内回転軸の右端が前記噛合チャンバと連結られることができ、前記外回転軸と前記内回転軸の左端とが便座蓋に連結され、
前記内回転軸チャンバと前記外回転軸を駆動することにより、其々便座と便座蓋を上げられ、
前記自動ロック装置は前記主チャンバの下側の内壁の中に連通して設置される自動ロックチャンバを含み、前記長い回転軸には自動ロックボードが固定的に連結され、前記自動ロックボードの下端が前記自動ロックチャンバの中に伸びられ、前記自動ロックチャンバの中の前側にはロックボード軸が回転できるように連結され、前記ロックボード軸にはロックボードが固定的に連結され、前記ロックボードの後端が前記自動ロックボードに当接し、前記ロックボードの下端と前記自動ロックチャンバの下側の内壁との間にはロック撥条が固定的に連結され、前記ロックボード軸には引き線が巻かれて連結され、前記自動ロックチャンバの前側内壁の中には引き線チャンバが連通して前に開口して設置され、前記引き線の前端が前記引き線チャンバを貫通して引っ張りブロックと固定的に連結され、
前記ロックボードによって前記自動ロックボードを止め、便座が閉じる時便座と直接に衝突して損害するのを防止し、
前記支持装置は前記主チャンバの左側の内壁の中に設置され且つ左に開口した長い回転軸チャンバを含み、前記長い回転軸の左端が前記長い回転軸チャンバを通して支持ボードと固定的に連結され、前記支持ボードの後端には支持ブロックが左右に対称的に固定的に連結され、前記支持ブロックの中には連結溝が相対に且つ後に開口して設置され、前記支持ブロックと便座の台座との連結によって、便座蓋を上げるのに補助できることを特徴とする二重の便座蓋上げ器。
【手続補正２】
【補正対象書類名】明細書
【補正対象項目名】全文
【補正方法】変更
【補正の内容】
【発明の詳細な説明】
【技術分野】
【０００１】
本発明は生活用品の分野を取り上げて、具体的には二重の便座蓋上げ器である。
【背景技術】
【０００２】
男女が便座を使用する時には区別があり、たまには便座まで上げるニーズがあり、便座が便座蓋より小さいため、同時に二重を上げられなく、そのためニーズによって便座蓋だけ又は同時に便座まで上げられる便座蓋上げ器を設計する必要があり、本発明装置は便座蓋だけ又は便座まで早く上げられるだけではなく、安全に便座蓋を閉じられる。
【先行技術文献】
【特許文献】
【０００３】
【特許文献１】中国特許出願公開第１０５７４７９８０号明細書
【発明の概要】
【発明が解決しようとする課題】
【０００４】
本発明の解決する技術問題は二重の便座蓋上げ器を提供し、それが上記現有技術問題を解決できる。
【課題を解決するための手段】
【０００５】
本発明の二重の便座蓋上げ器は、主体を含み、前記装置主体の中には主チャンバが設置され、前記主チャンバの中の上側には回転装置が設置され、前記回転装置の下端には切替装置が連結され、前記切替装置の下端には自動ロック装置が連結され、前記自動ロック装置の左端には支持装置が連結され、前記切替装置は前記主チャンバの右側の内壁の中に連通して設置され且つ右に開口した連結軸チャンバを含み、前記連結軸チャンバの中には連結軸が回転またスライドできるように設置され、前記連結軸の右端には手動輪が固定的に連結され、前記連結軸の左端が前記主チャンバの中に伸びていてスライド歯車と回転できるように連結され、前記スライド歯車の中には噛合チャンバが左に開口して設置され、前記連結軸チャンバの上下両側の内壁の中には扇形輪チャンバが連通して設置され、前記扇形輪チャンバの中には転輪が回転できるように設置され、前記転輪が前記連結軸に固定的に連結され、前記転輪の円周面には扇形輪が固定的に連結され、前記扇形輪チャンバの下側の内壁の中には揺動ボードチャンバが連通して設置され、前記揺動ボードチャンバの中には揺動ボードが揺動できるように設置され、前記揺動ボードの上端と前記扇形輪とが当接し、前記揺動ボードの下側の左右両端と前記揺動ボードチャンバの左右両側の内壁との間には復帰ねじりばねが固定的に連結され、前記揺動ボードの下端が前記揺動ボードチャンバの中に伸びて長い回転軸と固定的に連結され、前記長い回転軸の左端が前記自動ロック装置と前記支持装置とに連結され、
前記手動輪を押して回転させ、便座を上げられる。
【０００６】
更なる技術方案、記回転装置は前記主チャンバの中の上側に回転できるように設置されるモーター軸を含み、前記主チャンバの右側の内壁の中にはモーターが固定的に設置され、前記モーター軸の右端が前記モーターに伝動できるように連結し、前記モーター軸には左歯車と右歯車が固定的に連結され、前記右歯車の下端が前記スライド歯車に噛合でき、前記左歯車の下端には連結歯車が噛合連結され、前記連結歯車の左端には外回転軸が固定的に連結され、前記外回転軸の中には内回転軸チャンバが左右に貫通して設置され、前記内回転軸チャンバが前記連結歯車を貫通しており、前記内回転軸チャンバの中には内回転軸が回転できるように設置され、前記内回転軸の右端が前記噛合チャンバと連結られることができ、前記外回転軸と前記内回転軸の左端とが便座蓋に連結され、
前記内回転軸チャンバと前記外回転軸を駆動することにより、其々便座と便座蓋を上げられる。
【０００７】
更なる技術方案、前記自動ロック装置は前記主チャンバの下側の内壁の中に連通して設置される自動ロックチャンバを含み、前記長い回転軸には自動ロックボードが固定的に連結され、前記自動ロックボードの下端が前記自動ロックチャンバの中に伸びられ、前記自動ロックチャンバの中の前側にはロックボード軸が回転できるように連結され、前記ロックボード軸にはロックボードが固定的に連結され、前記ロックボードの後端が前記自動ロックボードに当接し、前記ロックボードの下端と前記自動ロックチャンバの下側の内壁との間にはロック撥条が固定的に連結され、前記ロックボード軸には引き線が巻かれて連結され、前記自動ロックチャンバの前側内壁の中には引き線チャンバが連通して前に開口して設置され、前記引き線の前端が前記引き線チャンバを貫通して引っ張りブロックと固定的に連結され、
前記ロックボードによって前記自動ロックボードを止め、便座が閉じる時便座と直接に衝突して損害するのを防止する。
【０００８】
更なる技術方案、前記支持装置は前記主チャンバの左側の内壁の中に設置され且つ左に開口した長い回転軸チャンバを含み、前記長い回転軸の左端が前記長い回転軸チャンバを通して支持ボードと固定的に連結され、前記支持ボードの後端には支持ブロックが左右に対称的に固定的に連結され、前記支持ブロックの中には連結溝が相対に且つ後に開口して設置され、前記支持ブロックと便座の台座との連結によって、便座蓋を上げるのに補助できる。
【発明の効果】
【０００９】
本発明の有益な効果は下記の通りである：本発明は構造が簡単で、操作が便利で、ニーズによって便座蓋だけ又は便座までを上げられ、便座蓋を閉じる時、便座を損害しないように、便座蓋を直接に便座に接触させなく、本発明の装置は便座蓋又は便座を早く上げられるだけではなく、安全に便座蓋を閉じられる。
【図面の簡単な説明】
【００１０】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の二重の便座蓋上げ器の内部構成模式図
【図２】図２は図１の「ＡーＡ」の方向の構成模式図
【図３】図３は図１の「ＢーＢ」の方向の構成模式図
【図４】図４は図１の「ＣーＣ」の方向の構成模式図
【発明を実施するための形態】
【００１２】
図１〜４を参考して、本発明の二重の便座蓋上げ器は、主体１１を含み、前記装置主体１１の中には主チャンバ１４が設置され、前記主チャンバ１４の中の上側には回転装置１０１が設置され、前記回転装置１０１の下端には切替装置１００が連結され、前記切替装置１００の下端には自動ロック装置１０２が連結され、前記自動ロック装置１０２の左端には支持装置１０３が連結され、前記切替装置１００は前記主チャンバ１４の右側の内壁の中に連通して設置され且つ右に開口した連結軸チャンバ２１を含み、前記連結軸チャンバ２１の中には連結軸１９が回転またスライドできるように設置され、前記連結軸１９の右端には手動輪２０が固定的に連結され、前記連結軸１９の左端が前記主チャンバ１４の中に伸びていてスライド歯車１５と回転できるように連結され、前記スライド歯車１５の中には噛合チャンバ４２が左に開口して設置され、前記連結軸チャンバ２１の上下両側の内壁の中には扇形輪チャンバ１７が連通して設置され、前記扇形輪チャンバ１７の中には転輪２２が回転できるように設置され、前記転輪２２が前記連結軸１９に固定的に連結され、前記転輪２２の円周面には扇形輪１８が固定的に連結され、前記扇形輪チャンバ１７の下側の内壁の中には揺動ボードチャンバ４１が連通して設置され、前記揺動ボードチャンバ４１の中には揺動ボード２４が揺動できるように設置され、前記揺動ボード２４の上端と前記扇形輪１８とが当接し、前記揺動ボード２４の下側の左右両端と前記揺動ボードチャンバ４１の左右両側の内壁との間には復帰ねじりばね３９が固定的に連結され、前記揺動ボード２４の下端が前記揺動ボードチャンバ４１の中に伸びて長い回転軸２６と固定的に連結され、前記長い回転軸２６の左端が前記自動ロック装置１０２と前記支持装置１０３とに連結され、
前記手動輪２０を押して回転させ、便座を上げられる。
【００１３】
有益なように、前記回転装置１０１は前記主チャンバ１４の中の上側に回転できるように設置されるモーター軸３８を含み、前記主チャンバ１４の右側の内壁の中にはモーター１６が固定的に設置され、前記モーター軸３８の右端が前記モーター１６に伝動できるように連結し、前記モーター軸３８には左歯車１２と右歯車１３が固定的に連結され、前記右歯車１３の下端が前記スライド歯車１５に噛合でき、前記左歯車１２の下端には連結歯車３７が噛合連結され、前記連結歯車３７の左端には外回転軸３６が固定的に連結され、前記外回転軸３６の中には内回転軸チャンバ３５が左右に貫通して設置され、前記内回転軸チャンバ３５が前記連結歯車３７を貫通しており、前記内回転軸チャンバ３５の中には内回転軸３４が回転できるように設置され、前記内回転軸３４の右端が前記噛合チャンバ４２と連結られることができ、前記外回転軸３６と前記内回転軸３４の左端とが便座蓋に連結され、
前記内回転軸チャンバ３５と前記外回転軸３６を駆動することにより、其々便座と便座蓋を上げられる。
【００１４】
有益なように、前記自動ロック装置１０２は前記主チャンバ１４の下側の内壁の中に連通して設置される自動ロックチャンバ３０を含み、前記長い回転軸２６には自動ロックボード２７が固定的に連結され、前記自動ロックボード２７の下端が前記自動ロックチャンバ３０の中に伸びられ、前記自動ロックチャンバ３０の中の前側にはロックボード軸４４が回転できるように連結され、前記ロックボード軸４４にはロックボード２８が固定的に連結され、前記ロックボード２８の後端が前記自動ロックボード２７に当接し、前記ロックボード２８の下端と前記自動ロックチャンバ３０の下側の内壁との間にはロック撥条２９が固定的に連結され、前記ロックボード軸４４には引き線４６が巻かれて連結され、前記自動ロックチャンバ３０の前側内壁の中には引き線チャンバ４５が連通して前に開口して設置され、前記引き線４６の前端が前記引き線チャンバ４５を貫通して引っ張りブロック４３と固定的に連結され、
前記ロックボード２８によって前記自動ロックボード２７を止め、便座が閉じる時便座と直接に衝突して損害するのを防止する。
【００１５】
有益なように、前記支持装置１０３は前記主チャンバ１４の左側の内壁の中に設置され且つ左に開口した長い回転軸チャンバ３１を含み、前記長い回転軸２６の左端が前記長い回転軸チャンバ３１を通して支持ボード３２と固定的に連結され、前記支持ボード３２の後端には支持ブロック３３が左右に対称的に固定的に連結され、前記支持ブロック３３の中には連結溝４７が相対に且つ後に開口して設置され、前記支持ブロック３３と便座の台座との連結によって、便座蓋を上げるのに補助できる。
【００１６】
使用する時、便座蓋だけを上げる時、モーター１６を始動し、それによりモーター軸３８によって左歯車１２を回転連動させ、それにより連結歯車３７を回転連動させ、それにより外回転軸３６を回転連動させて便座蓋を上げ、同時に便座まで上げる時、手動輪２０を押して回転させ、それにより連結軸１９によってスライド歯車１５をスライド連動させて内回転軸３４と連結し、同時にスライド歯車１５と右歯車１３とが噛合し、同時に連結軸１９によって転輪２２を回転連動させ、それにより扇形輪１８を回転連動させ、それにより揺動ボード２４を押して揺動させ、それにより長い回転軸２６を回転連動させ、それにより自動ロックボード２７を回転連動させ、それによりロックボード２８によって自動ロックボード２７を引っ掛けて止めて元に回転するのを防止し、同時に長い回転軸２６が支持ボード３２を回転連動させ、支持ブロック３３と便器の台座とが連通するため、この時便座蓋を少し上げられ、この時モーター１６を始動し、モーター軸３８によって右歯車１３を回転連動させ、それによりスライド歯車１５を回転連動させ、それにより内回転軸３４を回転連動させ、それにより便座まで上げられ、モーター１６を反方向に回転させると便座蓋を閉じられ、引っ張りブロック４３を引っ張り、それにより引き線４６によってロックボード軸４４を引き動かして回転させ、それにより揺動ボード２４が復帰ねじりばね３９の弾力の作用によって反方向に回転し、それにより自動ロックボード２７を反方向に回転連動させ、それにより完全に便座蓋を閉じる。
【００１７】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【手続補正書】
【提出日】令和1年12月3日(2019.12.3)
【手続補正１】
【補正対象書類名】明細書
【補正対象項目名】全文
【補正方法】変更
【補正の内容】
【発明の詳細な説明】
【技術分野】
【０００１】
本発明は生活用品の分野を取り上げて、具体的には二重の便座蓋上げ器である。
【背景技術】
【０００２】
男女が便座を使用する時には区別があり、たまには便座まで上げるニーズがあり、便座が便座蓋より小さいため、同時に二重を上げられなく、そのためニーズによって便座蓋だけ又は同時に便座まで上げられる便座蓋上げ器を設計する必要があり、本発明装置は便座蓋だけ又は便座まで早く上げられるだけではなく、安全に便座蓋を閉じられる。
【先行技術文献】
【特許文献】
【０００３】
【特許文献１】中国特許出願公開第１０５７４７９８０号明細書
【発明の概要】
【発明が解決しようとする課題】
【０００４】
本発明の解決する技術問題は二重の便座蓋上げ器を提供し、それが上記現有技術問題を解決できる。
【課題を解決するための手段】
【０００５】
本発明の二重の便座蓋上げ器は、主体を含み、前記装置主体の中には主チャンバが設置され、前記主チャンバの中の上側には回転装置が設置され、前記回転装置の下端には切替装置が連結され、前記切替装置の下端には自動ロック装置が連結され、前記自動ロック装置の左端には支持装置が連結され、前記切替装置は前記主チャンバの右側の内壁の中に連通して設置され且つ右に開口した連結軸チャンバを含み、前記連結軸チャンバの中には連結軸が回転またスライドできるように設置され、前記連結軸の右端には手動輪が固定的に連結され、前記連結軸の左端が前記主チャンバの中に伸びていてスライド歯車と回転できるように連結され、前記スライド歯車の中には噛合チャンバが左に開口して設置され、前記連結軸チャンバの上下両側の内壁の中には扇形輪チャンバが連通して設置され、前記扇形輪チャンバの中には転輪が回転できるように設置され、前記転輪が前記連結軸に固定的に連結され、前記転輪の円周面には扇形輪が固定的に連結され、前記扇形輪チャンバの下側の内壁の中には揺動ボードチャンバが連通して設置され、前記揺動ボードチャンバの中には揺動ボードが揺動できるように設置され、前記揺動ボードの上端と前記扇形輪とが当接し、前記揺動ボードの下側の左右両端と前記揺動ボードチャンバの左右両側の内壁との間には復帰ねじりばねが固定的に連結され、前記揺動ボードの下端が前記揺動ボードチャンバの中に伸びて長い回転軸と固定的に連結され、前記長い回転軸の左端が前記自動ロック装置と前記支持装置とに連結され、
前記手動輪を押して回転させ、便座を上げられる。
【０００６】
更なる技術方案、記回転装置は前記主チャンバの中の上側に回転できるように設置されるモーター軸を含み、前記主チャンバの右側の内壁の中にはモーターが固定的に設置され、前記モーター軸の右端が前記モーターに伝動できるように連結し、前記モーター軸には左歯車と右歯車が固定的に連結され、前記右歯車の下端が前記スライド歯車に噛合でき、前記左歯車の下端には連結歯車が噛合連結され、前記連結歯車の左端には外回転軸が固定的に連結され、前記外回転軸の中には内回転軸チャンバが左右に貫通して設置され、前記内回転軸チャンバが前記連結歯車を貫通しており、前記内回転軸チャンバの中には内回転軸が回転できるように設置され、前記内回転軸の右端が前記噛合チャンバと連結られることができ、前記外回転軸と前記内回転軸の左端とが便座蓋に連結され、
前記内回転軸チャンバと前記外回転軸を駆動することにより、其々便座と便座蓋を上げられる。
【０００７】
更なる技術方案、前記自動ロック装置は前記主チャンバの下側の内壁の中に連通して設置される自動ロックチャンバを含み、前記長い回転軸には自動ロックボードが固定的に連結され、前記自動ロックボードの下端が前記自動ロックチャンバの中に伸びられ、前記自動ロックチャンバの中の前側にはロックボード軸が回転できるように連結され、前記ロックボード軸にはロックボードが固定的に連結され、前記ロックボードの後端が前記自動ロックボードに当接し、前記ロックボードの下端と前記自動ロックチャンバの下側の内壁との間にはロック撥条が固定的に連結され、前記ロックボード軸には引き線が巻かれて連結され、前記自動ロックチャンバの前側内壁の中には引き線チャンバが連通して前に開口して設置され、前記引き線の前端が前記引き線チャンバを貫通して引っ張りブロックと固定的に連結され、
前記ロックボードによって前記自動ロックボードを止め、便座が閉じる時便座と直接に衝突して損害するのを防止する。
【０００８】
更なる技術方案、前記支持装置は前記主チャンバの左側の内壁の中に設置され且つ左に開口した長い回転軸チャンバを含み、前記長い回転軸の左端が前記長い回転軸チャンバを通して支持ボードと固定的に連結され、前記支持ボードの後端には支持ブロックが左右に対称的に固定的に連結され、前記支持ブロックの中には連結溝が相対に且つ後に開口して設置され、前記支持ブロックと便座の台座との連結によって、便座蓋を上げるのに補助できる。
【発明の効果】
【０００９】
本発明の有益な効果は下記の通りである：本発明は構造が簡単で、操作が便利で、ニーズによって便座蓋だけ又は便座までを上げられ、便座蓋を閉じる時、便座を損害しないように、便座蓋を直接に便座に接触させなく、本発明の装置は便座蓋又は便座を早く上げられるだけではなく、安全に便座蓋を閉じられる。
【図面の簡単な説明】
【００１０】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の二重の便座蓋上げ器の内部構成模式図
【図２】図２は図１の「ＡーＡ」の方向の構成模式図
【図３】図３は図１の「ＢーＢ」の方向の構成模式図
【図４】図４は図１の「ＣーＣ」の方向の構成模式図
【発明を実施するための形態】
【００１２】
図１〜４を参考して、本発明の二重の便座蓋上げ器は、主体１１を含み、前記装置主体１１の中には主チャンバ１４が設置され、前記主チャンバ１４の中の上側には回転装置１０１が設置され、前記回転装置１０１の下端には切替装置１００が連結され、前記切替装置１００の下端には自動ロック装置１０２が連結され、前記自動ロック装置１０２の左端には支持装置１０３が連結され、前記切替装置１００は前記主チャンバ１４の右側の内壁の中に連通して設置され且つ右に開口した連結軸チャンバ２１を含み、前記連結軸チャンバ２１の中には連結軸１９が回転またスライドできるように設置され、前記連結軸１９の右端には手動輪２０が固定的に連結され、前記連結軸１９の左端が前記主チャンバ１４の中に伸びていてスライド歯車１５と回転できるように連結され、前記スライド歯車１５の中には噛合チャンバ４２が左に開口して設置され、前記連結軸チャンバ２１の上下両側の内壁の中には扇形輪チャンバ１７が連通して設置され、前記扇形輪チャンバ１７の中には転輪２２が回転できるように設置され、前記転輪２２が前記連結軸１９に固定的に連結され、前記転輪２２の円周面には扇形輪１８が固定的に連結され、前記扇形輪チャンバ１７の下側の内壁の中には揺動ボードチャンバ４１が連通して設置され、前記揺動ボードチャンバ４１の中には揺動ボード２４が揺動できるように設置され、前記揺動ボード２４の上端と前記扇形輪１８とが当接し、前記揺動ボード２４の下側の左右両端と前記揺動ボードチャンバ４１の左右両側の内壁との間には復帰ねじりばね３９が固定的に連結され、前記揺動ボード２４の下端が前記揺動ボードチャンバ４１の中に伸びて長い回転軸２６と固定的に連結され、前記長い回転軸２６の左端が前記自動ロック装置１０２と前記支持装置１０３とに連結され、
前記手動輪２０を押して回転させ、便座を上げられる。
【００１３】
有益なように、前記回転装置１０１は前記主チャンバ１４の中の上側に回転できるように設置されるモーター軸３８を含み、前記主チャンバ１４の右側の内壁の中にはモーター１６が固定的に設置され、前記モーター軸３８の右端が前記モーター１６に伝動できるように連結し、前記モーター軸３８には左歯車１２と右歯車１３が固定的に連結され、前記右歯車１３の下端が前記スライド歯車１５に噛合でき、前記左歯車１２の下端には連結歯車３７が噛合連結され、前記連結歯車３７の左端には外回転軸３６が固定的に連結され、前記外回転軸３６の中には内回転軸チャンバ３５が左右に貫通して設置され、前記内回転軸チャンバ３５が前記連結歯車３７を貫通しており、前記内回転軸チャンバ３５の中には内回転軸３４が回転できるように設置され、前記内回転軸３４の右端が前記噛合チャンバ４２と連結られることができ、前記外回転軸３６と前記内回転軸３４の左端とが便座蓋に連結され、
前記内回転軸チャンバ３５と前記外回転軸３６を駆動することにより、其々便座と便座蓋を上げられる。
【００１４】
有益なように、前記自動ロック装置１０２は前記主チャンバ１４の下側の内壁の中に連通して設置される自動ロックチャンバ３０を含み、前記長い回転軸２６には自動ロックボード２７が固定的に連結され、前記自動ロックボード２７の下端が前記自動ロックチャンバ３０の中に伸びられ、前記自動ロックチャンバ３０の中の前側にはロックボード軸４４が回転できるように連結され、前記ロックボード軸４４にはロックボード２８が固定的に連結され、前記ロックボード２８の後端が前記自動ロックボード２７に当接し、前記ロックボード２８の下端と前記自動ロックチャンバ３０の下側の内壁との間にはロック撥条２９が固定的に連結され、前記ロックボード軸４４には引き線４６が巻かれて連結され、前記自動ロックチャンバ３０の前側内壁の中には引き線チャンバ４５が連通して前に開口して設置され、前記引き線４６の前端が前記引き線チャンバ４５を貫通して引っ張りブロック４３と固定的に連結され、
前記ロックボード２８によって前記自動ロックボード２７を止め、便座が閉じる時便座と直接に衝突して損害するのを防止する。
【００１５】
有益なように、前記支持装置１０３は前記主チャンバ１４の左側の内壁の中に設置され且つ左に開口した長い回転軸チャンバ３１を含み、前記長い回転軸２６の左端が前記長い回転軸チャンバ３１を通して支持ボード３２と固定的に連結され、前記支持ボード３２の後端には支持ブロック３３が左右に対称的に固定的に連結され、前記支持ブロック３３の中には連結溝４７が相対に且つ後に開口して設置され、前記支持ブロック３３と便座の台座との連結によって、便座蓋を上げるのに補助できる。
【００１６】
使用する時、便座蓋だけを上げる時、モーター１６を始動し、それによりモーター軸３８によって左歯車１２を回転連動させ、それにより連結歯車３７を回転連動させ、それにより外回転軸３６を回転連動させて便座蓋を上げ、同時に便座まで上げる時、手動輪２０を押して回転させ、それにより連結軸１９によってスライド歯車１５をスライド連動させて内回転軸３４と連結し、同時にスライド歯車１５と右歯車１３とが噛合し、同時に連結軸１９によって転輪２２を回転連動させ、それにより扇形輪１８を回転連動させ、それにより揺動ボード２４を押して回転させ、それにより長い回転軸２６を回転連動させ、それにより自動ロックボード２７を回転連動させ、それによりロックボード２８によって自動ロックボード２７を引っ掛けて止めて反転するのを防止し、同時に長い回転軸２６が支持ボード３２を回転連動させ、支持ブロック３３と便器の台座とが連通するため、この時便座蓋を少し上げられ、この時モーター１６を始動し、モーター軸３８によって右歯車１３を回転連動させ、それによりスライド歯車１５を回転連動させ、それにより内回転軸３４を回転連動させ、それにより便座まで上げられ、モーター１６を反方向に回転させると便座蓋を閉じられ、引っ張りブロック４３を引っ張り、それにより引き線４６によってロックボード軸４４を引き動かして回転させ、それにより揺動ボード２４が復帰ねじりばね３９の弾力の作用によって反方向に回転し、それにより自動ロックボード２７を反方向に回転連動させ、それにより完全に便座蓋を閉じる。
【００１７】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。